(57)【要約】【課題】  往復走査間での色差の低減とインクの着弾位置ずれによる画質低下の抑制を両立する。【解決手段】  ブラックインクの吐出口列群がそれぞれシアンインクの吐出口列群の内側であり、マゼンタインクの吐出口列群の内側である位置に位置し、且つ、ライトブルーインクの吐出口列群がシアンインクの第１の吐出口列群の内側であり、マゼンタインクの吐出口列群の内側であり、ブラックインクの吐出口列群の外側である位置に位置する。【選択図】  図６
2020073314.tif 000002
【特許請求の範囲】
【請求項１】
複数の吐出口が第１の方向に沿って配列された吐出口列を含む記録ユニットが、前記第１の方向と交差する第２の方向に沿って複数設けられ、記録媒体に対して前記第２の方向に移動することにより画像を記録する記録ヘッドであって、
色相角がｈ１であり、明度がＬ１である第１の色のインクを吐出する第１の記録ユニット及び第２の記録ユニットと、
色相角がｈ１より大きいｈ２であり、明度がＬ２である第２の色のインクを吐出する第３の記録ユニット及び第４の記録ユニットと、
色相角がｈ１より大きく且つｈ２より小さいｈ３であり、明度がＬ１及びＬ２のいずれよりも大きいＬ３である第３の色のインクを吐出する第５の記録ユニットと、
明度がＬ１及びＬ２のいずれよりも小さいＬ４である第４の色のインクを吐出する第６の記録ユニット及び第７の記録ユニットと、
を有し、
前記第２の方向において、前記第５の記録ユニット、前記第６の記録ユニット、前記第７の記録ユニットはこの順序に、前記第１の記録ユニットと前記第２の記録ユニットの間に設けられ、
且つ、前記第５の記録ユニット、前記第６の記録ユニット、前記第７の記録ユニットは、前記第３の記録ユニットと前記第４の記録ユニットの間に設けられ、
さらに、前記第７の記録ユニットを挟んで前記第６の記録ユニットの反対側に、前記第３の色のインクを吐出する記録ユニットが設けられていないことを特徴とする記録ヘッド。
【請求項２】
前記第１の色のインクと前記第２の色のインクを互いに同じ量だけ混合することにより再現される色の色相角をｈ´としたとき、
ｈ１＋（ｈ´−ｈ１）／２＜ｈ３＜ｈ２−（ｈ２−ｈ´）／２
を満たすことを特徴とする請求項１に記載の記録ヘッド。
【請求項３】
記録媒体の表面の色の明度Ｌ´について、
Ｌ´−Ｌ３＞Ｌ３−Ｌ１、及び
Ｌ´−Ｌ１＞Ｌ２−Ｌ１
を満たすことを特徴とする請求項１または２に記載の記録ヘッド。
【請求項４】
前記第１の色はシアンであり、前記第２の色はマゼンタであることを特徴とする請求項１から３のいずれか１項に記載の記録ヘッド。
【請求項５】
前記第３の色はライトブルーであることを特徴とする請求項１から４のいずれか１項に記載の記録ヘッド。
【請求項６】
前記第４の色はブラックであることを特徴とする請求項１から５のいずれか１項に記載の記録ヘッド。
【請求項７】
前記第２の方向において、前記第３の記録ユニットと前記第４の記録ユニットは、前記第１の記録ユニット及び前記第２の記録ユニットの間に設けられていることを特徴とする請求項１から６のいずれか１項に記載の記録ヘッド。
【請求項８】
前記第２の方向において、前記第１の記録ユニットと前記第２の記録ユニットは、前記第３の記録ユニット及び前記第４の記録ユニットの間に設けられていることを特徴とする請求項１から６のいずれか１項に記載の記録ヘッド。
【請求項９】
色相角がｈ１よりも小さいｈ５であり、明度がＬ４よりも小さいＬ５である第５の色のインクを吐出する吐出口列を含む第８の記録ユニットを更に有し、
前記第２の方向において、前記第８の記録ユニットは、前記第６の記録ユニットと前記第７の記録ユニットの間に設けられていることを特徴とする請求項１から８のいずれか１項に記載の記録ヘッド。
【請求項１０】
前記第５の色はイエローであることを特徴とする請求項９に記載の記録ヘッド。
【請求項１１】
前記第１の記録ユニット、前記第２の記録ユニット、前記第３の記録ユニット、前記第４の記録ユニット、前記第５の記録ユニット、前記第６の記録ユニット、前記第７の記録ユニット及び前記第８の記録ユニットの他に、前記第１の色、前記第２の色、前記第３の色、前記第４の色及び前記第５の色のうちのいずれかの色のインクを吐出する記録ユニットが備えられていないことを特徴とする請求項９または１０に記載の記録ヘッド。
【請求項１２】
前記第８の記録ユニットは、吐出口径が第１の径の吐出口列が２列設けられ、且つ、吐出口径が前記第１の径よりも小さい径の吐出口列が設けられておらず、
前記第６の記録ユニット及び前記第７の記録ユニットのそれぞれは、吐出口径が前記第１の径よりも小さい第２の径の吐出口列が設けられ、且つ、吐出口径が前記第２の径よりも小さい径の吐出口列が設けられておらず、
前記第５の記録ユニットは、吐出口径が前記第２の径よりも小さい第３の径の吐出口列が設けられ、
前記第１の記録ユニット、前記第２の記録ユニット、前記第３の記録ユニット及び前記第４の記録ユニットのそれぞれは、吐出口径が前記第３の径の吐出口列が設けられていることを特徴とする請求項９から１１のいずれか１項に記載の記録ヘッド。
【請求項１３】
前記第１の記録ユニット、前記第２の記録ユニット、前記第３の記録ユニット及び前記第４の記録ユニットのそれぞれは、吐出口径が前記第３の径の１列の吐出口列と、吐出口径が前記第２の径の１列の吐出口列と、吐出口径が前記第１の径の１列の吐出口列と、の３列の吐出口列のみが設けられており、
前記第５の記録ユニットは、吐出口径が前記第３の径の２列の吐出口列と、吐出口径が前記第２の径の２列の吐出口列と、の４列の吐出口列のみが設けられており、
前記第６の記録ユニット及び前記第７の記録ユニットのそれぞれは、吐出口径が前記第２の径の１列の吐出口列と、吐出口径が前記第１の径の１列の吐出口列と、の２列の吐出口列のみが設けられており、
前記第８の記録ユニットは、吐出口径が前記第１の径の２列の吐出口列のみが設けられていることを特徴とする請求項１２に記載の記録ヘッド。
【請求項１４】
前記第１の記録ユニット、前記第２の記録ユニット、前記第３の記録ユニット、前記第４の記録ユニット、前記第５の記録ユニット、前記第６の記録ユニット及び前記第７の記録ユニットが、１つのチップに設けられていることを特徴とする請求項１から１３のいずれか１項に記載の記録ヘッド。
【請求項１５】
前記第３の色のインクと前記第４の色のインクの両方を使用して再現される色の数は、前記第１の色のインクと前記第３の色のインクの両方を使用して再現される色の数よりも少なく、且つ、前記第２の色のインクと前記第３の色のインクの両方を使用して再現される色の数よりも少ないことを特徴とする請求項１から１４のいずれか１項に記載の記録ヘッド。
【請求項１６】
シアンインクを吐出する第１の記録ユニット及び第２の記録ユニットと、マゼンタインクを吐出する第３の記録ユニット及び第４の記録ユニットと、ライトブルーインクを吐出する第５の記録ユニットと、ブラックインクを吐出する第６の記録ユニット及び第７の記録ユニットと、が所定方向に配され、記録媒体に対して前記所定方向と交差する方向に移動することにより画像を記録する記録ヘッドであって、
前記所定方向において、前記第５の記録ユニット、前記第６の記録ユニット、前記第７の記録ユニットはこの順序に、前記第１の記録ユニットと前記第２の記録ユニットの間に設けられ、
且つ、前記第５の記録ユニット、前記第６の記録ユニット及び前記第７の記録ユニットは、前記第３の記録ユニットと前記第４の記録ユニットの間に設けられ、
さらに、前記第７の記録ユニットを挟んで前記第６の記録ユニットの反対側に、ライトブルーインクを吐出する記録ユニットが設けられていないことを特徴とする記録ヘッド。
【請求項１７】
請求項１から１６のいずれか１項に記載の記録ヘッドと、
前記記録ヘッドを搭載した移動手段による往復移動の間に前記記録ヘッドからインクを吐出させる記録動作を制御する制御手段と、
を有することを特徴とするインクジェット記録装置。
【発明の詳細な説明】
【技術分野】
【０００１】
本発明は、記録ヘッドおよびインクジェット記録装置に関する。
【背景技術】
【０００２】
インクを吐出するための複数の吐出口を配列した吐出口列を有する吐出口列群が複数設けられた記録ヘッドを用い、その記録ヘッドを記録媒体に対して往方向および復方向に往復走査させながらインクを吐出することにより記録媒体上に画像を形成するインクジェット記録装置が従来より知られている。
【０００３】
このような往復走査を行うインクジェット記録装置では、記録媒体上の往方向への走査で記録を行った領域と、記録媒体上の復方向への走査で記録を行った領域と、の間で色差が発生し、画質低下が生じる虞があることが知られている。ブラックインクとイエローインクのみに着目してこの色差を詳細に説明する。ブラックインクの吐出口列群とイエローインクの吐出口列群をそれぞれ１つずつしか備えていない記録ヘッドを用いると、一方の走査で記録を行った領域はブラック、イエローの順序でインクが付与され、他方の走査で記録を行った領域はイエロー、ブラックの順序でインクが付与されることになる。このような往復走査間のインクの付与順序の違いにより、往復記録領域間での色差が生じてしまうのである。
【０００４】
これに対し、特許文献１には、記録ヘッド内の複数の吐出口列群の配置によって上述の往復記録領域間での色差を低減している。詳細には、特許文献１の図９ではイエローインクの吐出口列群を１つ、ブラックインクの吐出口列群を２つ備え、ブラックインクの吐出口列群とイエローインクの吐出口列群の配置が対称（左右対称）となるように配置されている。このような記録ヘッドを用いることにより、往走査、復走査のどちらでもブラック、イエロー、ブラックの順序でインクを付与することができるため、往復記録領域間での色差を低減することが可能となる。
【０００５】
一方、従来でのインクジェット記録装置では、基本色（３原色）であるシアン、マゼンタ、イエローインクおよびブラックインクの合計４色のインクを用いることが多かった。しかしながら近年ではこれらの４色のインクに加え、用途に応じて異なる色のインクを更に用いることが知られている。例えば、ブルー色相を再現するために明度が低いシアンインクとマゼンタインクを記録媒体上に重畳して付与した場合、粒状感が目立つ画像が記録されてしまうという問題があった。それぞれシアン、マゼンタとほぼ同じ色相であり、明度がより高い色であるライトシアンインク、ライトマゼンタインクを用いることで上述の粒状感は解消されるが、４色のインクに加え更に２色のインクを用いることになるため、装置の大型化やコストの増大に繋がってしまう。これに対し、特許文献２にはシアンとマゼンタの間の色相であって、シアン、マゼンタよりも明度が高い色のインク、所謂ライトブルーインクを用いることが記載されている。このライトブルーインクを用いることにより、装置の大型化やコストの増大を引き起こすことなく、視認され易いブルー色相における粒状感を目立ちにくくした記録を行うことが可能となる。
【先行技術文献】
【特許文献】
【０００６】
【特許文献１】特開２０１０−０４６９０４号公報
【特許文献２】特開２００２−１５４２４０号公報
【発明の概要】
【発明が解決しようとする課題】
【０００７】
しかしながら、特許文献１に記載された異なる色のインクの吐出口列群が対称配置された記録ヘッドに対し、特許文献２に記載されたような所謂ライトブルーインクを吐出するための吐出口列群を更に配置しようとすると、以下のような問題が発生することがわかった。
【０００８】
まず、ライトブルーインクの吐出口列群を１つだけ配置する場合について考える。上述の往復記録領域間での色差の低減を鑑みると、２つのブラックインクの吐出口列群の間にライトブルーインクの吐出口列群を配置することが好ましい。このような配置にすることにより、往走査、復走査のどちらでもブラック、ライトブルー、ブラックの順序でインクを付与することが可能となる。
【０００９】
しかしながら上述の配置とした場合、各色の中で明度が最も低いインクであるブラックインクについて、２つのブラックインクの吐出口列群の間の距離が比較的長くなってしまう。この結果、記録装置に記録ヘッドが傾いて装着された場合や記録ヘッドの走査に傾きが生じた場合において画質の低下が目立ち易くなってしまう虞がある。
【００１０】
例えば特許文献１の図９に開示されたブラック、イエロー、ブラックの順に各色のインクの吐出口列群が配置された記録ヘッドに対し上述のようにライトブルーインクの吐出口列群を更に配置すると、２つのブラックインクの吐出口列群の間にはイエローインクの吐出口列群に加え、ライトブルーインクの吐出口列群が位置することになる。このように２つのブラックインクの吐出口列群の間に配置される吐出口列群の数が多くなるため、ブラックインクの吐出口列群の間の距離が長くなってしまう。
【００１１】
一方、２つの吐出口列群の間の距離が長くなるほど、記録装置に記録ヘッドが傾いて装着された際や記録ヘッドの走査に傾きが生じた際に生じるインクの着弾位置ずれは大きなものとなる。このインクの着弾位置ずれが、明度が最も低いブラックインクにおいて生じると、他の色のインクにおいて生じるよりも画質の低下が大きなものとなってしまう。したがって、ライトブルーインクの吐出口列群を２つのブラックインクの吐出口列群の間に配置し、明度が最も低いブラックインクの吐出口列群の間の距離を長くしてしまうと、インクの着弾位置ずれによる画質低下が大きくなる虞がある。
【００１２】
なお、ライトブルーインクの吐出口列群を２つ設け、２つのライトブルーインクの吐出口列群の間に２つのブラックインクの吐出口列群を配置すれば、往復走査間でのブラックインクとライトブルーインクの付与順序を同じとするとともに、２つのブラックインクの吐出口列群の間の距離を短くすることができる。しかしながら、本来１つの吐出口列群のみで問題ないにもかかわらず、吐出口列群を２つ設けてしまうと記録ヘッドを不要に大型化させることに繋がってしまう。
【００１３】
本発明は上記の課題を鑑みて為されたものであり、往復走査間での色差の低減とインクの着弾位置ずれによる画質低下の抑制を両立可能な記録ヘッドを提供することを目的とする。
【課題を解決するための手段】
【００１４】
そこで、本発明は、複数の吐出口が第１の方向に沿って配列された吐出口列を含む記録ユニットが、前記第１の方向と交差する第２の方向に沿って複数設けられ、記録媒体に対して前記第２の方向に移動することにより画像を記録する記録ヘッドであって、色相角がｈ１であり、明度がＬ１である第１の色のインクを吐出する第１の記録ユニット及び第２の記録ユニットと、色相角がｈ１より大きいｈ２であり、明度がＬ２である第２の色のインクを吐出する第３の記録ユニット及び第４の記録ユニットと、色相角がｈ１より大きく且つｈ２より小さいｈ３であり、明度がＬ１及びＬ２のいずれよりも大きいＬ３である第３の色のインクを吐出する第５の記録ユニットと、明度がＬ１及びＬ２のいずれよりも小さいＬ４である第４の色のインクを吐出する第６の記録ユニット及び第７の記録ユニットと、を有し、前記第２の方向において、前記第５の記録ユニット、前記第６の記録ユニット、前記第７の記録ユニットはこの順序に、前記第１の記録ユニットと前記第２の記録ユニットの間に設けられ、且つ、前記第５の記録ユニット、前記第６の記録ユニット、前記第７の記録ユニットは、前記第３の記録ユニットと前記第４の記録ユニットの間に設けられ、さらに、前記第７の記録ユニットを挟んで前記第６の記録ユニットの反対側に、前記第３の色のインクを吐出する記録ユニットが設けられていないことを特徴とする。
【発明の効果】
【００１５】
本発明に係る記録ヘッドによれば、往復走査間での色差の低減とインクの着弾位置ずれによる画質低下の抑制を両立することが可能となる。
【図面の簡単な説明】
【００１６】
【図１】実施形態で適用する画像記録装置の斜視図である。
【図２】実施形態における記録制御系を示す模式図である。
【図３】実施形態におけるデータ処理過程を説明するための図である。
【図４】実施形態における各濃度階調におけるインク記録率を示す図である。
【図５】実施形態で適用する記録ヘッドの斜視図である。
【図６】実施形態で適用する記録ヘッド内のチップ表面を示す図である。
【図７】実施形態で適用する記録ヘッド内の吐出口近傍の透視図である。
【図８】往復走査間での色差を説明するための図である。
【図９】インクの着弾位置ずれによる画質低下を説明するための図である。
【図１０】実施形態で適用する記録ヘッド内のチップ表面を示す図である。
【図１１】実施形態で適用する記録ヘッド内の吐出口近傍の透視図である。
【発明を実施するための形態】
【００１７】
以下に図面を参照し、本発明の第１の実施形態を詳細に説明する。
【００１８】
（第１の実施形態）
図１は本実施形態に係るインクジェット記録装置１０００の内部構成を示す模式図である。なお、図１には上部カバーを持ち上げたときの様子を示している。
【００１９】
本実施形態におけるインクジェット記録装置（以下、プリンタ、記録装置とも称する）１０００には、Ｘ方向（交差方向）に沿って往復移動（往復走査）するキャリッジ５が備えられており、そのキャリッジ５に後述する記録ヘッド１が搭載されている。本実施形態では、キャリッジ５および記録ヘッド１の移動速度（走査速度）は約２５ｉｎｃｈ／秒である。このようなキャリッジ５および記録ヘッド１の往復移動を行いながら記録ヘッド１からインクを吐出することにより、記録媒体に対する画像の記録動作を行う。
【００２０】
記録媒体は、プリンタの給紙トレイから給紙され、Ｘ方向と交差する副走査方向に搬送される。本実施形態における記録媒体の搬送速度は約５ｉｎｃｈ／秒である。
【００２１】
本実施形態では、上述のような記録ヘッド１の走査と記録媒体の搬送とを交互に繰り返し、１枚の記録媒体に対する記録を完了する。なお、本実施形態では記録媒体上の単位領域に対して１回の走査で記録を完了する所謂１パス記録方式を用いても良いし、単位領域に対して複数回の走査で記録を完了する所謂マルチパス記録方式を用いても良い。
【００２２】
また、本実施形態で使用する用紙の厚みは約０．３ｍｍであり、その場合の記録ヘッド１と用紙間の高さ方向距離は約１．０ｍｍとなる。プリンタの上部には記録画像を取り込むためのスキャナ４が備えられており、そのスキャナ４はプリンタの上部カバーと一体化されている。
【００２３】
図２は本実施形態におけるプリンタ１０００内の制御系の概略構成を示すブロック図である。主制御部３００は、演算、選択、判別、制御などの処理動作を実行するＣＰＵ３０１と、ＣＰＵ３０１によって実行すべき制御プログラム等を格納するＲＯＭ３０２と、記録データのバッファ等として用いられるＲＡＭ３０３、および入出力ポート３０４等を備えている。また、ＲＯＭ３０３には後述するマスクパターン等も合わせて格納されている。そして、入出力ポート３０４には、搬送モータ（ＬＦモータ）３０９、キャリッジモータ（ＣＲモータ）３１０、記録ヘッド１及び記録媒体を切断するための切断装置におけるアクチュエータなどの各駆動回路３０５、３０６、３０７、３０８が接続されている。さらに、主制御部３００はインターフェイス回路３１１を介してホストコンピュータであるＰＣ３１２に接続されている。
【００２４】
（データ生成処理）
図３は本実施形態における制御プログラムにしたがってＣＰＵ３０１が実行する記録に用いられる記録データ生成処理のフローチャートである。なお、この制御プログラムはＲＯＭ３０２に予め格納されている。
【００２５】
入力される画像のデータは、６００ｄｐｉの解像度を有し、１画素あたり２５６階調を有する各色８ビットのＲＧＢ信号である。このデータは、まず色補正処理部４０１に送られ、ホストＰＣ３１２で表現されるｓＲＧＢなどの色空間をプリンタ１０００が表現可能な色空間に対応付けるための処理が施される。詳細には、予めＲＯＭ３０２に格納された３次元のルックアップテーブル（ＬＵＴ）を参照することにより、ＲＧＢの８ビット２５６値の信号を同じくＲＧＢの８ビット２５６値の信号に変換する。
【００２６】
次にインク色分解処理部４０２は、色補正部４０１にて生成されたデータを記録装置１０００が使用するインク色に対応するデータに変換する。詳細には、予めＲＯＭ３０２に格納された３次元のＬＵＴを参照することにより、ＲＧＢの８ビット２５６値の信号を各インク色の８ビット濃度信号に変換する。
【００２７】
インク色に分解されたデータは、γ補正処理部４０３に入力され、インク色ごとに濃度値の補正が行われる。γ補正とは、入力されるデータの濃度と記録媒体で表現される画像の光学濃度とが線形関係を持つようにするための補正である。具体的には、予めＲＯＭ３０２に格納された１次元のＬＵＴを参照し、各インク色の８ビット２５６値の濃度データを同じく８ビット２５６値の濃度データに変換する。
【００２８】
その後、各インク色に対応する８ビット２５６値の濃度データは量子化処理部４０４にて量子化処理が行われ、各インク色に対応する２ビット４値の量子化データが生成される。本実施形態において量子化処理の方法は特に限定されるものではなく、ディザ法や誤差拡散法などを採用することができる。
【００２９】
次に、量子化データはインデックス展開処理部４０５に送られ、ここで１ビット２値のデータに変換される。詳細には、２画素×２画素からなる１つの画素群に対する量子化データの値に応じて２画素×２画素の合計４画素に対するインクを吐出する数と位置を定めたインデックスパターンを用い、各画素に対するインクの吐出または非吐出を規定する２値データが生成される。なお、インデックスパターンは予めＲＯＭ３０２に格納されている。
【００３０】
その後、２値データは分配処理部４０６に送られ、単位領域に対する複数回の走査への２値データの分配が行われる。詳細には、複数回の走査に対応し、それぞれ各画素に対するインクの吐出の許容または非許容を規定した複数のマスクパターンを用い、複数回の走査それぞれで用いる１ビット２値の記録データを生成する。なお、複数のマスクパターンは予めＲＯＭ３０２に格納されている。また、１パス記録方式で記録を行う場合にはこの分配処理部４０６における処理は省略される。
【００３１】
また、ここでは４０１〜４０６における全ての処理をプリンタ１０００内のＣＰＵ３０１が実行する形態について記載したが、ＰＣ３１２内のＣＰＵ（不図示）が４０１〜４０６における一部あるいは全ての処理を実行しても良い。
【００３２】
（インクの色相と明度）
本実施形態では、シアンインク、マゼンタインク、イエローインク、ブラックインクの他、ライトブルーインクを用いて記録を行う。
【００３３】
本実施形態で用いるライトブルーインクは、シアンインクとマゼンタインクを同じ量だけ混合した際に再現されるブルー色相に比較的近い色相と、比較的高い明度（低い濃度）と、を有したものである。詳細には、本実施形態で用いるライトブルーインクは、色相がシアンインクとマゼンタインクの間であって、明度がシアンインク、マゼンタインクよりも高いという条件を満たしたものである。
【００３４】
このような条件を満たしたライトブルーインクを用いることにより、濃度が低い（インクの吐出量が少ない）画像を記録する際、シアンインクとマゼンタインクを重畳させることなくブルー色相を再現することができる。このため、ブルー色相において粒状感の少ない画像を記録することが可能となる。
【００３５】
以下、シアンインクの色相角をｈ１、明度をＬ１、マゼンタインクの色相角をｈ２、明度をＬ２、ライトブルーインクの色相角をｈ３、明度をＬ３、ブラックインクの色相角をｈ４、明度をＬ４、イエローインクの色相角をｈ５、明度をＬ５とし、本実施形態で用いる各色のインクの色相角と明度を（表１）に示す。
【００３６】
【表１】
2020073314.tif 000003
【００３７】
（表１）からわかるように、本実施形態で用いるライトブルーインクは、色相角ｈ３がシアンインクの色相角ｈ１とマゼンタインクの色相角ｈ２の間であって、明度Ｌ３がシアンインクの明度Ｌ１とマゼンタインクの明度Ｌ２の両方よりも高い、という条件を満足している。
【００３８】
（各色のインクの使用方法）
上述の各色のインクの使用方法について以下に記載する。
【００３９】
図４（ａ）は本実施形態においてホワイトからブルーを介してブラックに向かう各濃度階調を再現するために使用する各色のインクの吐出量（記録率）、所謂ブルーラインを示している。
【００４０】
まず、ホワイトに近い低濃度領域では、シアンインクとマゼンタインクを重畳して付与することによる粒状感の低下を避けるため、ライトブルーインクの吐出量を増加させることで濃度を高くする。その後、ブルーに近づき中間濃度領域となると、ライトブルーインクでは濃度再現ができなくなってくるため、ライトブルーインクの吐出量を低下させつつシアンインクとマゼンタインクの吐出量を増加させて濃度を高くする。そして、ブラックに近い高濃度領域となると、シアンインクやマゼンタインクの吐出量を低下させつつブラックインクの吐出量を増加させることでブラックに近い濃度を再現する。
【００４１】
また、図４（ｂ）は本実施形態においてホワイトからイエローを介してブラックに向かう各濃度階調を再現するために使用する各色のインクの吐出量（記録率）、所謂イエローラインを示している。
【００４２】
ホワイトからイエローまでの低〜中間濃度領域では、イエローインクの吐出量を増加させて濃度を高くする。また、中間濃度領域からブラックに向かい始めると、明度が高いイエローと明度が低いブラックを同時に使用すると画質が低下する虞があるため、イエローインクの吐出量を低下させつつ、シアンインク、マゼンタインク、ライトブルーインクを用いて濃度を高くする。そして、最後にブラックインクの吐出量を増加させ、ブラックに近い濃度の再現を行う。
【００４３】
（記録ヘッド）
図５は本実施形態で用いる記録ヘッドを示す斜視図である。
【００４４】
本実施形態における記録ヘッド１は、インク供給部２とインク吐出部３が一体的に構成されている。インク供給部２には、インクを供給するためのインクタンク（不図示）を保持する保持体２Ａが備えられている。
【００４５】
インク吐出部３には、顔料のブラックインクを吐出するためのチップ（Ｂｋチップ）１０と、後述する染料のインクを吐出するためのチップ（Ｃｌチップ）２０と、が備えられている。以降の説明では、このＣｌチップ２０に着目して説明する。
【００４６】
図６は本実施形態における記録ヘッド１内のＣｌチップ２０の拡大図である。また、図７は本実施形態における各吐出口列群の内部構成を説明するための図である。
【００４７】
本実施形態におけるＣｌチップ２０には、インク供給部２に接続される共通液室２１が合計８つ形成されており、１つの共通液室２１には１つの吐出口列群ＬＧ１が形成されている。そして、各吐出口列群ＬＧ１は複数の吐出口列から構成されており、それらの吐出口列に配置された吐出口の径（吐出口径）は吐出口列群ごとに異なっている。
【００４８】
Ｃｌチップ２０内のそれぞれの吐出口は、共通液室２１を形成する部材（以下、共通液室形成部材とも称する）に接続されたノズルプレートに開口している。共通液室形成部材には、各吐出口に対向する位置に電気熱変換素子（以下、ヒータとも称する）が配置されている。
【００４９】
Ｃｌチップ２０内の各吐出口列群ＬＧ１について以下に詳細に説明する。
【００５０】
１．イエローインクの吐出口列群
本実施形態におけるＣｌチップ２０には、イエローインクの吐出口列群が１つだけ設けられている（ＬＧ１（Ｙ））。このイエローインクの吐出口列群ＬＧ１（Ｙ）は、２つの吐出口列から構成されている。
【００５１】
図７（ａ）はイエローインクの吐出口列群ＬＧ１（Ｙ）の詳細を示す図である。
【００５２】
イエローインクの吐出口列群ＬＧ１（Ｙ）においては、共通液室２１の両側に吐出口の直径が約１６μｍであって、吐出されるインク滴のサイズが約５ｐｌと比較的大きい吐出口２２を有する２つの吐出口列が設けられている。これらの吐出口列には、それぞれ２６４個の吐出口２２が６００ｄｐｉ（約４２．３μｍ）の間隔でＹ方向に配列されている。また、これらの吐出口列はＹ方向に互いに１２００ｄｐｉ（約２１．２μｍ）の間隔だけずれて配置されている。
【００５３】
また、上述のように吐出口２２と対向する位置にはヒータ２８が設けられている。更に、ヒータ２８を囲むようにして発泡室２５が設けられており、発泡室２５と共通液室２１との間を接続するようにしてインク流路２６が設けられているである。また、インク中の異物がインク流路２６内に入ることを阻止するために異物阻害柱２７が設けられている。なお、これらのヒータ２８、発泡室２５、インク流路２６、異物阻害柱２７の構成は他の吐出口列群においても同様であるため、以降は説明を省略する。
【００５４】
２．ブラックインク、シアンインク、マゼンタインクの吐出口列群
本実施形態におけるＣｌチップ２０には、ブラックインクの吐出口列群が２つ設けられている（ＬＧ１（Ｋ１）、ＬＧ１（Ｋ２））。これらのブラックインクの吐出口列群ＬＧ１（Ｋ１）、ＬＧ１（Ｋ２）は、それぞれ２つの吐出口列から構成されている。
【００５５】
図７（ｂ）はブラックインクの吐出口列群ＬＧ１（Ｋ１）の詳細を示す図である。
【００５６】
ブラックインクの吐出口列群ＬＧ１（Ｋ１）においては、共通液室２１の一方側（左側）に吐出口の直径が約１６μｍであって、吐出されるインク滴のサイズが約５ｐｌと比較的大きい吐出口２２を有する１つの吐出口列が設けられている。また、共通液室２１の他方側（右側）には吐出口の直径が約１２μｍであって、吐出されるインク滴のサイズが約２ｐｌと中程度の吐出口２４を有する１つの吐出口列が設けられている。これらの吐出口列には、それぞれ２６４個の吐出口２２、２４が６００ｄｐｉ（約４２．３μｍ）の間隔でＹ方向に配列されている。また、これらの吐出口列はＹ方向に互いに１２００ｄｐｉ（約２１．２μｍ）の間隔だけずれて配置されている。
【００５７】
なお、ブラックインクの吐出口列群ＬＧ１（Ｋ２）もまた、吐出口列群ＬＧ１（Ｋ１）と同様に吐出口の直径が約１６μｍの吐出口列と吐出口の直径が約１２μｍの吐出口列を有している。但し、２つの吐出口列群ＬＧ１（Ｋ１）、ＬＧ１（Ｋ２）は、それぞれに配置された２つの吐出口列のＸ方向における配置が逆である点で異なっている。また、吐出口列群ＬＧ１（Ｋ１）、ＬＧ１（Ｋ２）内の同じ直径の吐出口を有する２つの吐出口列は、Ｙ方向に互いに１２００ｄｐｉ（約２１．２μｍ）の間隔だけずれた位置となるように設けられている。
【００５８】
なお、シアンインクの吐出口列群ＬＧ１（Ｃ１）とマゼンタインクの吐出口列ＬＧ１（Ｍ１）は、それぞれブラックインクの吐出口列群ＬＧ１（Ｋ１）と同じ構成を有している。また、シアンインクの吐出口列群ＬＧ１（Ｃ２）とマゼンタインクの吐出口列ＬＧ１（Ｍ２）は、それぞれブラックインクの吐出口列群ＬＧ１（Ｋ２）と同じ構成を有している。
【００５９】
３．ライトブルーインクの吐出口列群
本実施形態におけるＣｌチップ２０には、ライトブルーインクの吐出口列群が１つ設けられている（ＬＧ１（ＬＢ））。このライトブルーインクの吐出口列群ＬＧ１（ＬＢ）は４つの吐出口列から構成されている。
【００６０】
図７（ｃ）はライトブルーインクの吐出口列群ＬＧ１（ＬＢ）の詳細を示す図である。
【００６１】
図７（ｃ）に示すように、ライトブルーインクの吐出口列群ＬＧ１（ＬＢ）においては、共通液室２１の一方側（左側）には２つの吐出口列が設けられている。ひとつは吐出口の直径が約１２μｍであって、吐出されるインク滴のサイズが約２ｐｌと中程度の吐出口２４を有する吐出口列であって、より共通液室２１に近い位置に設けられている。もうひとつは吐出口の直径が約９μｍであって、吐出されるインク滴のサイズが約１ｐｌと比較的小さい吐出口２３を有する吐出口列であって、共通液室２１から遠い位置に設けられている。共通液室２１の他方側（右側）についても同様であり、吐出口の直径が約１２μｍの吐出口列と吐出口の直径が約９μｍの吐出口列の２つが設けられている。このように、ライトブルーインクの吐出口列群には吐出口の直径が約１２μｍの吐出口列が２つ、吐出口の直径が約９μｍの吐出口列が２つ、合計４つの吐出口列が設けられている。
【００６２】
これらの吐出口列には、それぞれ２６４個の吐出口２３、２４が６００ｄｐｉ（約４２．３μｍ）の間隔でＹ方向に配列されている。また、共通液室２１に対して同じ側に位置する２つの吐出口列（吐出口の直径が約１６μｍの吐出口列と吐出口の直径が約１２μｍの吐出口列）は、Ｙ方向に１２００ｄｐｉ（約１０．６μｍ）の間隔だけずれて配置されている。
【００６３】
４．チップ内の吐出口列群の配置順序
図６に示すように、本実施形態におけるチップ２０は、左側からシアンインクの吐出口列群ＬＧ１（Ｃ１）、マゼンタインクの吐出口列群ＬＧ１（Ｍ１）、ライトブルーインクの吐出口列群ＬＧ１（ＬＢ）、ブラックインクの吐出口列群ＬＧ１（Ｋ１）、イエローインクの吐出口列群ＬＧ１（Ｙ）、ブラックインクの吐出口列群ＬＧ１（Ｋ２）、マゼンタインクの吐出口列群ＬＧ１（Ｍ２）、シアンインクの吐出口列群ＬＧ１（Ｃ２）の順序で各吐出口列群が配置されている。
【００６４】
この各吐出口列群の配置順序の理由について説明する。
【００６５】
本実施形態では、往復走査間での色差の低減とインクの着弾位置ずれによる画質低下の抑制の２つの点を鑑みて各吐出口列群の配置順序を決定した。まず、往復走査間での色差とインクの着弾位置ずれによる画質低下の２つについて記載する。
【００６６】
（１）往復走査間での色差
図８（ａ）はＣｏｌｏｒ１の吐出口列群ＬＧ（Ｃｏｌｏｒ１）と、Ｃｏｌｏｒ１と異なる色のＣｏｌｏｒ２の吐出口列群ＬＧ（Ｃｏｌｏｒ２）と、の２つの吐出口列群から構成される記録ヘッドを示す図である。また、図８（ｂ）は図８（ａ）の記録ヘッドを用いて往復走査で記録を行った際のインク滴の着弾後の様子を説明するための図である。
【００６７】
図８（ａ）に示す記録ヘッドを用いる場合、記録媒体上の走査方向に同じ位置に対しては、往走査ではＣｏｌｏｒ２、Ｃｏｌｏｒ１の順序でインクが吐出され、復走査ではＣｏｌｏｒ１、Ｃｏｌｏｒ２の順序でインクが吐出される。
【００６８】
ここで、Ｃｏｌｏｒ１、Ｃｏｌｏｒ２のインクの吐出量が少なく、Ｃｏｌｏｒ１、Ｃｏｌｏｒ２のインクが記録媒体Ｐ上の同じ領域に対して吐出されないような場合であれば、図８（ｂ）に示すように、Ｃｏｌｏｒ１のドット３３とＣｏｌｏｒ２のドット３４が重畳しない。そのため、往走査と復走査でインクの付与順序が異なったとしても、着弾後のドットの様子は同じため、再現される色はほぼ同様となる。
【００６９】
しかしながら、Ｃｏｌｏｒ１、Ｃｏｌｏｒ２のインクの吐出量が多く、Ｃｏｌｏｒ１、Ｃｏｌｏｒ２のインクが同じ領域に吐出される場合には往走査と復走査で再現される色が異なってくる。図８（ｂ）に示すように、往走査ではＣｏｌｏｒ２のインクが記録媒体上に付与されてドット３４が形成された後、ドット３４上にＣｏｌｏｒ１のインクが付与されることになる。染料インクは先に形成されたドットを回り込んで定着するため、Ｃｏｌｏｒ１のドット３３はＣｏｌｏｒ２のドット３４の下層に形成されることになる。したがって、往走査時には記録媒体上のより上層に形成されたドット３４の色であるＣｏｌｏｒ２が支配的な画像が記録される。一方、復走査時にはＣｏｌｏｒ１、Ｃｏｌｏｒ２の順序でインクが付与されるため、Ｃｏｌｏｒ１のドット３３の方が上層に形成されるため、Ｃｏｌｏｒ１の方が支配的な色となる。
【００７０】
このように、インクの吐出量が多い場合には往走査ではＣｏｌｏｒ２が、復走査ではＣｏｌｏｒ１がそれぞれ支配的な色となってしまう。この支配的な色の違いによって往復走査間の色差が生じてしまうのである。
【００７１】
（２）インクの着弾位置ずれによる画質低下
記録ヘッドが記録装置に対して傾いて装着された場合や記録ヘッドの走査に傾きが生じた場合、吐出口列群の間の距離が長いほどそれらの吐出口列群から吐出されたインクは着弾位置がずれてしまう。
【００７２】
図９（ａ）はそれぞれ異なる色のインクを吐出するための吐出口列群ＬＧ（１）、ＬＧ（２）、ＬＧ（３）を２つずつ有する記録ヘッドにおいて、上述の傾きが生じていない場合の各吐出口列群ＬＧ（１）、ＬＧ（２）、ＬＧ（３）からのインクの着弾位置を説明するための模式図である。また、図９（ｂ）は図９（ａ）の記録ヘッドに上述の傾きが発生した際の各吐出口列群ＬＧ（１）、ＬＧ（２）、ＬＧ（３）からのインクの着弾位置を説明するための模式図である。
【００７３】
なお、図９では２つの吐出口列群ＬＧ（１）の間に２つの吐出口列群ＬＧ（２）が、２つの吐出口列群ＬＧ（２）の間に２つの吐出口列群ＬＧ（３）がそれぞれ位置するように、各吐出口列群がＸ方向に配置された記録ヘッドについて示している。言い換えると、吐出口列群ＬＧ（１）間の距離が最も長く、吐出口列群ＬＧ（３）間の距離が最も短くなっている。
【００７４】
また、図９では吐出口列群ＬＧ（１）からのインクの着弾位置を３０、吐出口列群ＬＧ（２）からのインクの着弾位置を３１、吐出口列群ＬＧ（３）からのインクの着弾位置を３２にそれぞれ示している。なお、ここでは各吐出口列群ＬＧ（１）、ＬＧ（２）、ＬＧ（３）それぞれにＹ方向に配列された複数の吐出口のうち、罫線や黒塗りで示した吐出口８によって構成される吐出口列から吐出されるインクの着弾位置について記載する。
【００７５】
図９（ａ）に示すように、傾きが発生していなければ、２つの吐出口列群ＬＧ（１）、２つの吐出口列群ＬＧ（２）、２つの吐出口列群ＬＧ（３）のいずれにおいても、インク滴は吐出口の配列間隔と同じ間隔で着弾する。したがって、吐出口列群の間の距離によらずインクの着弾位置は同じとなる。
【００７６】
一方、図９（ｂ）に示すように傾きが発生している場合、吐出口列群間の距離に応じてＹ方向へのインクの着弾位置ずれの程度は異なる。例えば吐出口列群間の距離が比較的短い吐出口列群ＬＧ（３）については、傾きが発生すると図９（ｂ）の３２に示すようにインクの着弾位置ずれは生じるが、図９（ａ）の３２と比べるとわかるように、それ程大きなものとならない。しかしながら、吐出口列群間の距離が比較的長い吐出口列群ＬＧ（１）においては、図９（ｂ）の３０に示すように傾きが生じた際のインクの着弾位置ずれが図９（ａ）の３０に比べて大きなものとなってしまう。
【００７７】
このように、吐出口列群の間の距離が長いほど、傾きが生じた際のインクの着弾位置ずれの程度が大きくなってしまうため、画質低下に大きく影響してしまう。
【００７８】
以上の（１）往復走査間での色差と（２）インクの着弾位置ずれによる画質低下を鑑み、本実施形態における吐出口列群の配置順序を決定する。
【００７９】
まず、（１）で説明した往復走査間で色差を低減するため、図６に示すチップ２０内のシアンインクの吐出口列群ＬＧ１（Ｃ１）、ＬＧ１（Ｃ２）、マゼンタインクの吐出口列群ＬＧ１（Ｍ１）、ＬＧ１（Ｍ２）、イエローインクの吐出口列群ＬＧ１（Ｙ）、ブラックインクの吐出口列群ＬＧ１（Ｋ１）、ＬＧ１（Ｋ２）については、対称系となるように各吐出口列群が配置されている。
【００８０】
詳細には、２つのシアンインクの吐出口列群ＬＧ１（Ｃ１）、ＬＧ１（Ｃ２）の内側に２つのマゼンタインクの吐出口列群ＬＧ１（Ｍ１）、ＬＧ１（Ｍ２）が配置されている。また、２つのマゼンタインクの吐出口列群ＬＧ１（Ｍ１）、ＬＧ１（Ｍ２）の内側に２つのブラックインクの吐出口列群ＬＧ１（Ｋ１）、ＬＧ１（Ｋ２）が配置されている。更に、２つのブラックインクの吐出口列群ＬＧ１（Ｋ１）、ＬＧ１（Ｋ２）の内側に１つのイエローインクの吐出口列群ＬＧ１（Ｙ）が配置されている。
【００８１】
このため、シアンインク、マゼンタインク、イエローインク、ブラックインクについては、往走査と復走査でインクの付与順序を等しくすることができる。つまり、往復走査のどちらでもシアン、マゼンタ、ブラック、イエロー、ブラック、マゼンタ、シアンの順序でインクを付与することができるため、シアンインク、マゼンタインク、イエローインク、ブラックインクに関しては往復走査間での色差を低減することが可能となる。
【００８２】
一方、図６からわかるように、ライトブルーインクの吐出口列群ＬＧ１（ＬＢ）は、シアンインクの吐出口列群ＬＧ１（Ｃ１）、ＬＧ１（Ｃ２）や、マゼンタインクの吐出口列群ＬＧ１（Ｍ１）、ＬＧ１（Ｍ２）に対しては対象系となるように配置されているが、ブラックインクの吐出口列群ＬＧ１（Ｋ１）、ＬＧ１（Ｋ２）に対しては非対象系となるように配置されている。
【００８３】
詳細には、ライトブルーインクの吐出口列群ＬＧ１（ＬＢ）は、２つのシアンインクの吐出口列群ＬＧ１（Ｃ１）、ＬＧ１（Ｃ２）の内側であって、２つのマゼンタインクの吐出口列群ＬＧ１（Ｍ１）、ＬＧ１（Ｍ２）の内側である位置に配置されている。そのため、例えばライトブルーインクとシアンインクに着目すると、往復走査のどちらでもシアン、ライトブルー、シアンの順序でインクを吐出することができる。したがって、ライトブルーインクとシアンインク、またはライトブルーインクとマゼンタインクに関しては往復走査間での色差を低減できる。
【００８４】
一方、ライトブルーインクの吐出口列群ＬＧ１（ＬＢ）は、２つのブラックインクの吐出口列群ＬＧ１（Ｋ１）、ＬＧ１（Ｋ２）の外側に配置されている。言い換えると、ライトブルーインクとブラックインクだけに着目すると、左側からライトブルーインクの吐出口列群ＬＧ１（ＬＢ）、ブラックインクの吐出口列群ＬＧ１（Ｋ１）、ブラックインクの吐出口列群ＬＧ１（Ｋ２）の順に配置されている。したがって、記録媒体上のＸ方向に同じ位置に対し、往走査ではブラック、ブラック、ライトブルーの順序でインクを吐出し、復走査ではライトブルー、ブラック、ブラックの順序でインクを吐出することになる。そのため、ライトブルーインクとブラックインクの吐出量が多くなると、ライトブルーインクとブラックインクの間では往復走査間の色差が発生する虞がある。
【００８５】
しかしながら、図４を用いて説明したように、本実施形態ではライトブルーインクとブラックインクを同時にはほぼ吐出しないように各色のインクの記録率（吐出量）を定めている。言い換えると、本実施形態においてライトブルーインクとブラックインクの両方を使用して再現する色はほとんどない。
【００８６】
例えば、図４（ａ）に示すように、ブルーライン上においては低濃度〜中間濃度ではライトブルーインクは用いるが、ブラックインクはほとんど用いない。また、中間濃度〜高濃度ではブラックインクは用いるが、ライトブルーインクは用いていない。
【００８７】
また、図４（ｂ）に示すように、イエローライン上においては高濃度時にライトブルーインクとブラックインクの両方を用いる場合はあるものの、その吐出量はわずかである。
【００８８】
このように、本実施形態ではライトブルーインクとブラックインクを同じ領域に多量に吐出することがない。そのため、図８（ｂ）を用いて説明したようなライトブルーインクとブラックインクのドットが重なりは極めて少なくなる。したがって、ライトブルーインクの吐出口列群ＬＧ１（ＬＢ）をブラックインクの吐出口列群ＬＧ１（Ｋ１）、ＬＧ１（Ｋ２）に対して非対象系となるように配置したとしても、ライトブルーインクとブラックインクの往復走査間での色差は実際には生じにくいのである。
【００８９】
一方、図４（ａ）からわかるように、ブルーライン上ではライトブルーインクとシアンインクは中間濃度等において同時にある程度多量に使用することがある。言い換えると、本実施形態においてライトブルーインクとシアンインクの両方を使用して再現する色は数多く存在する。
【００９０】
したがって、ライトブルーインクとシアンインクに関しては往復走査間での色差が生じ得るため、ライトブルーインクの吐出口列群ＬＧ１（ＬＢ）はシアンインクの吐出口列群ＬＧ１（Ｃ１）、ＬＧ１（Ｃ２）に対しては対称系となるように配置する。ライトブルーインクとマゼンタインクについても同様である。
【００９１】
ここで、（１）で説明した往復走査間での色差の低減のみを鑑みるのであれば、図６のようにライトブルーインクの吐出口列群ＬＧ１（ＬＢ）が２つのブラックインクの吐出口列群ＬＧ１（Ｋ１）、ＬＧ１（Ｋ２）に対して非対称となるような配置とせずとも良い。言い換えると、ライトブルーインクの吐出口列群ＬＧ１（ＬＢ）が２つのブラックインクの吐出口列群ＬＧ１（Ｋ１）、ＬＧ１（Ｋ２）と対称な位置、つまり内側に配置されていたとしても、本実施形態と同様に往復走査間でのライトブルーインクとブラックインクの色差は発生しない。
【００９２】
しかしながら、ライトブルーインクの吐出口列群ＬＧ１（ＬＢ）を２つのブラックインクの吐出口列群ＬＧ１（Ｋ１）、ＬＧ１（Ｋ２）の内側に配置してしまうと、ライトブルーインクの吐出口列ＬＧ１（ＬＢ）の分だけ２つのブラックインクの吐出口列群ＬＧ１（Ｋ１）、ＬＧ１（Ｋ２）の間の距離が長くなってしまう。そのため、（２）で説明したように、発生するブラックインクの着弾位置ずれが程度の大きなものとなり得る。（表１）に示したように、ブラックインクは最も明度が低く視認され易いインクであるため、着弾位置ずれが発生した際の画質低下も大きなものとなってしまう。
【００９３】
この点を鑑み、本実施形態では、ライトブルーインクの吐出口列群ＬＧ１（ＬＢ）を２つのブラックインクの吐出口列群ＬＧ１（Ｋ１）、ＬＧ１（Ｋ２）の外側に配置する。これにより、ブラックインクの吐出口列群ＬＧ１（Ｋ１）、ＬＧ１（Ｋ２）の間の距離を短くする。この構成によれば、視認され易いブラックインクの着弾位置ずれをある程度小さなものとすることができ、画質低下を抑制することが可能となる。上述したように、ライトブルーインクとブラックインクを同時に使用することはほとんどないため、このように配置したとしてもライトブルーインクとブラックインクで往復走査間の色差は発生しない。
【００９４】
この構成によれば、往復走査間での色差を低減しつつ、インクの着弾位置ずれによる画質低下を抑えた記録を行うことが可能となる。
【００９５】
なお、上述した第１の実施形態では、２つのシアンインクの吐出口列群ＬＧ１（Ｃ１）、ＬＧ１（Ｃ２）の内側に２つのマゼンタインクの吐出口列群ＬＧ１（Ｍ１）、ＬＧ１（Ｍ２）が配置されている形態について記載したが、他の形態による実施も可能である。２つのブラックインクの吐出口列群ＬＧ１（Ｋ１）、ＬＧ１（Ｋ２）が２つのシアンインクの吐出口列群ＬＧ１（Ｃ１）、ＬＧ１（Ｃ２）の内側であって、２つのマゼンタインクの吐出口列群ＬＧ１（Ｍ１）、ＬＧ１（Ｍ２）の内側である位置に配置されており、且つ、ライトブルーインクの吐出口列群ＬＧ１（ＬＢ）が２つのシアンインクの吐出口列群ＬＧ１（Ｃ１）、ＬＧ１（Ｃ２）の内側であって、２つのマゼンタインクの吐出口列群ＬＧ１（Ｍ１）、ＬＧ１（Ｍ２）の内側であって、２つのブラックインクの吐出口列群ＬＧ１（Ｋ１）、ＬＧ１（Ｋ２）の外側である位置に配置されていれば、本実施形態による効果を得ることができる。例えば、左側からシアンインクの吐出口列群ＬＧ１（Ｃ１）、マゼンタインクの吐出口列群ＬＧ１（Ｍ１）、ライトブルーインクの吐出口列群ＬＧ１（ＬＢ）、ブラックインクの吐出口列群ＬＧ１（Ｋ１）、イエローインクの吐出口列群ＬＧ１（Ｙ）、ブラックインクの吐出口列群ＬＧ１（Ｋ２）、マゼンタインクの吐出口列群ＬＧ１（Ｍ２）、シアンインクの吐出口列群ＬＧ１（Ｃ２）の順序で配置されていても良い。この場合であっても、同時に吐出量が多くなり得るライトブルーインクとシアンインク、ライトブルーインクとマゼンタインクの関係においては往復走査間の色差を低減することができ、且つ、２つのブラックインクの吐出口列群ＬＧ１（Ｋ１）、ＬＧ１（Ｋ２）の間の距離を短くできるためインクの着弾位置ずれも抑制できる。但し、２つのシアンインクの吐出口列群ＬＧ１（Ｃ１）、ＬＧ１（Ｃ２）の内側に２つのマゼンタインクの吐出口列群ＬＧ１（Ｍ１）、ＬＧ１（Ｍ２）が配置されているか、２つのマゼンタインクの吐出口列群ＬＧ１（Ｍ１）、ＬＧ１（Ｍ２）の内側に２つのシアンインクの吐出口列群ＬＧ１（Ｃ１）、ＬＧ１（Ｃ２）が配置されている方が、シアンインクとマゼンタインクの往復走査間の色差を更に低減することができるため、より好ましい。
【００９６】
（第２の実施形態）
上述した第１の実施形態では、シアンインクの吐出口列群、マゼンタインクの吐出口列群が、それぞれ吐出口径が大きい吐出口列と吐出口径が中程度の吐出口列から構成される形態について記載した。
【００９７】
これに対し、本実施形態では、シアンインク、マゼンタインクの吐出口列群が、それぞれ吐出口径が大きい吐出口列と吐出口径が中程度の吐出口列に加え、吐出口径が小さい吐出口列の合計３つの吐出口列から構成される形態について記載する。
【００９８】
なお、上述した第１の実施形態と同様の部分については説明を省略する。
【００９９】
図１０は本実施形態における記録ヘッド１内のＣｌチップ２０の拡大図である。また、図９は本実施形態におけるシアンインクの吐出口列群の内部構成を説明するための図である。
【０１００】
本実施形態で用いる図８に示すＣｌチップと第１の実施形態で用いた図５に示すＣｌチップを比較するとわかるように、本実施形態におけるＣｌチップは各吐出口列群の配置順序、およびライトブルーインクの吐出口列群ＬＧ２（ＬＢ）、ブラックインクの吐出口列群ＬＧ２（Ｋ１）、ＬＧ２（Ｋ２）、イエローインクの吐出口列群ＬＧ２（Ｙ）の構成については第１の実施形態におけるＣｌチップと同様である。
【０１０１】
本実施形態で用いるＣｌチップは、シアンインクの吐出口列群ＬＧ２（Ｃ１）、ＬＧ２（Ｃ２）、マゼンタインクの吐出口列群ＬＧ２（Ｍ１）、ＬＧ２（Ｍ２）それぞれが、吐出口が大きい吐出口２２からなる吐出口列、吐出口径が中程度の吐出口２４からなる吐出口列に加え、吐出口径が小さい吐出口２３からなる吐出口列を更に含む点で、第１の実施形態で用いるＣｌチップと異なっている。
【０１０２】
以下、詳細について説明する。
【０１０３】
１．シアンインク、マゼンタインクの吐出口列群
本実施形態におけるＣｌチップ２０には、シアンインクの吐出口列群が２つ設けられている（ＬＧ２（Ｃ１）、ＬＧ２（Ｃ２））。これらのシアンインクの吐出口列群ＬＧ２（Ｃ１）、ＬＧ２（Ｃ２）は、それぞれ３つの吐出口列から構成されている。
【０１０４】
図１１に示すように、シアンインクの吐出口列群ＬＧ２（Ｃ１）においては、共通液室２１の一方側（左側）に吐出口の直径が約１６μｍであって、吐出されるインク滴のサイズが約５ｐｌと比較的大きい吐出口２２を有する１つの吐出口列が設けられている。一方、共通液室２１の他方側（右側）には２つの吐出口列が設けられている。ひとつは吐出口の直径が約１２μｍであって、吐出されるインク滴のサイズが約２ｐｌと中程度の吐出口２４を有する吐出口列であって、より共通液室２１に近い位置に設けられている。もうひとつは吐出口の直径が約９μｍであって、吐出されるインク滴のサイズが約１ｐｌと比較的小さい吐出口２３を有する吐出口列であって、共通液室２１から遠い位置に設けられている。
【０１０５】
これらの吐出口列には、それぞれ２６４個の吐出口２２、２３、２４が６００ｄｐｉ（約４２．３μｍ）の間隔でＹ方向に配列されている。また、吐出口の直径が約１６μｍの吐出口２２からなる吐出口列と吐出口の直径が約１２μｍの吐出口２４からなる吐出口列はＹ方向に２４００ｄｐｉ（約１０．６μｍ）の間隔だけずれて配置されている。また、吐出口の直径が約１２μｍの吐出口２４からなる吐出口列と吐出口の直径が約９μｍの吐出口２３からなる吐出口列はＹ方向に１２００ｄｐｉ（約２１．２μｍ）の間隔だけずれて配置されている。
【０１０６】
このように５ｐｌ、２ｐｌ、１ｐｌと３種類のサイズのシアンインク滴を吐出することにより、幅広い濃度階調で粒状感を目立たなくすることができる。第１の実施形態では５ｐｌ、２ｐｌの２種類のサイズのインクしか吐出できなかったため、低濃度を再現する場合においても２ｐｌのシアンインク滴を用いなればならず、形成されるドットもそれ程小さくなかったため、粒状感が視認される虞があった。しかしながら、本実施形態では低濃度を再現する場合には１ｐｌのシアンインク滴を用いることができるため、ドットの大きさが小さくなり、粒状感を目立たなくすることが可能となる。
【０１０７】
なお、シアンインクの吐出口列群ＬＧ２（Ｃ２）もまた、吐出口列群ＬＧ２（Ｃ１）と同様に吐出口の直径が約１６μｍの吐出口列、吐出口の直径が約１２μｍの吐出口列、吐出口の直径が約９μｍの吐出口列を有しているが、２つの吐出口列群ＬＧ２（Ｃ１）、ＬＧ２（Ｃ２）は、それぞれに配置された３つの吐出口列のＸ方向における配置が逆である点で異なっている。また、吐出口列群ＬＧ２（Ｃ１）、ＬＧ２（Ｃ２）内の同じ直径の吐出口を有する２つの吐出口列は、Ｙ方向に１２００ｄｐｉ（約２１．２μｍ）だけずれた位置となるように設けられている。
【０１０８】
また、マゼンタインクの吐出口列群ＬＧ２（Ｍ１）はシアンインクの吐出口列群ＬＧ２（Ｃ１）と、マゼンタインクの吐出口列群ＬＧ２（Ｍ２）はシアンインクの吐出口列群ＬＧ２（Ｃ２）と、それぞれ同じ構成を有している。
【０１０９】
２．チップ内の吐出口列群の配置順序
図１０に示すように、本実施形態におけるチップ２０は、左側からシアンインクの吐出口列群ＬＧ２（Ｃ１）、マゼンタインクの吐出口列群ＬＧ２（Ｍ１）、ライトブルーインクの吐出口列群ＬＧ２（ＬＢ）、ブラックインクの吐出口列群ＬＧ２（Ｋ１）、イエローインクの吐出口列群ＬＧ２（Ｙ）、ブラックインクの吐出口列群ＬＧ２（Ｋ２）、マゼンタインクの吐出口列群ＬＧ２（Ｍ２）、シアンインクの吐出口列群ＬＧ２（Ｃ２）の順序で各吐出口列群が配置されている。
【０１１０】
すなわち、第１の実施形態と同様に、本実施形態においても２つのブラックインクの吐出口列群ＬＧ２（Ｋ１）、ＬＧ２（Ｋ２）が２つのシアンインクの吐出口列群ＬＧ２（Ｃ１）、ＬＧ２（Ｃ２）の内側であって、２つのマゼンタインクの吐出口列群ＬＧ２（Ｍ１）、ＬＧ２（Ｍ２）の内側である位置に配置されている。更に、ライトブルーインクの吐出口列群ＬＧ２（ＬＢ）が２つのシアンインクの吐出口列群ＬＧ２（Ｃ１）、ＬＧ２（Ｃ２）の内側であって、２つのマゼンタインクの吐出口列群ＬＧ２（Ｍ１）、ＬＧ２（Ｍ２）の内側であって、２つのブラックインクの吐出口列群ＬＧ２（Ｋ１）、ＬＧ２（Ｋ２）の外側である位置に配置されている。
【０１１１】
したがって、本実施形態において、も同時に吐出量が多くなり得るライトブルーインクとシアンインク、ライトブルーインクとマゼンタインクの関係においては往復走査間の色差を低減することができる。また、２つのブラックインクの吐出口列群ＬＧ２（Ｋ１）、ＬＧ２（Ｋ２）の間の距離を短くできるため、明度が低いインクの着弾位置ずれが大きくなることによる画質の低下も抑制することが可能となる。
【０１１２】
なお、以上に説明した各実施形態では、ライトブルーインクの色相角ｈ３がシアンインクの色相角ｈ１とマゼンタインクの色相角ｈ２の間であって、ライトブルーインクの明度Ｌ３がシアンインクの明度Ｌ１とマゼンタインクの明度Ｌ２の両方よりも高い、という条件を満たしたインクをライトブルーインクとして用いた。しかしながら、発明者らの検討の結果、シアンインクとマゼンタインクを同じ量だけ混合した際にブルー色の色相角をｈ´、使用される記録媒体の表面の明度をＬ´としたとき、（式１）、（式２）、（式３）の条件を満たしていることがより好ましいことがわかった。
（式１）
ｈ１＋（ｈ´−ｈ１）／２＜ｈ３＜ｈ２−（ｈ２−ｈ´）／２
（式２）
Ｌ´−Ｌ３＞Ｌ３−Ｌ１
（式３）
Ｌ´−Ｌ１＞Ｌ２−Ｌ１
【０１１３】
ライトブルーインクによってブルー色相を好適に再現するためには、ライトブルーインクの色相はシアンインクの色相やマゼンタインクの色相に近すぎるのではなく、ブルーインクの色相にできるだけ近い方が好ましい。
【０１１４】
ここで、ｈ´−ｈ１はブルーの色相角とシアンの色相角の差分に相当する。したがって、（式１）のｈ１＋（ｈ´−ｈ１）／２の項は、シアンの色相からブルーの色相側へブルー、シアンの色相角の差分の半分だけずれた色相に相当する。言い換えると、（式１）のｈ１＋（ｈ´−ｈ１）／２の項はシアンの色相とブルーの色相の中間の色相に相当する。
【０１１５】
また、ｈ２−ｈ´はマゼンタの色相角とブルーの色相角の差分に相当する。したがって、（式１）のｈ２−（ｈ２−ｈ´）／２の項は、マゼンタの色相からブルーの色相側へマゼンタ、ブルーの色相角の差分の半分だけずれた色相に相当する。言い換えると、（式１）のｈ２−（ｈ２−ｈ´）／２の項はマゼンタの色相とブルーの色相の中間の色相に相当する。
【０１１６】
したがって、ライトブルーインクの色相角ｈ３が（式１）を満たす場合、シアン、ブルーの中間色相からマゼンタ、ブルーの中間色相までの間にライトブルーインクの色相が位置することを意味している。
【０１１７】
また、図４（ａ）に示したように各実施形態では低濃度〜中間濃度ではライトブルーインクによって、中間濃度〜高濃度ではシアンインクとマゼンタインクによってブルー色相を再現する。
【０１１８】
ここで、ライトブルーインクの明度が高すぎると、ライトブルーインクの明度とシアン、マゼンタインクの明度に剥離が生じる。これにより、ライトブルーインク上にシアン、マゼンタインクが付与された際にシアン、マゼンタインクの粒状感が目立ってしまう虞がある。したがって、ライトブルーインクの明度は記録媒体表面の明度よりもシアン、マゼンタインクの明度に近い方が好ましい。
【０１１９】
（式２）のＬ´−Ｌ３の項は記録媒体とライトブルーインクの明度差に相当し、Ｌ３−Ｌ１の項はライトブルーインクとシアンインクの明度差に相当する。したがって、ライトブルーインクの明度Ｌ３が（式２）を満たす場合、記録媒体とライトブルーインクの明度差がライトブルーインクとシアンインクの明度差よりも大きい、すなわちライトブルーインクの明度は記録媒体表面の明度よりもシアンインクの明度に近いことを意味している。
【０１２０】
また、（式３）のＬ３−Ｌ２の項はライトブルーインクとマゼンタインクの明度差に相当する。したがって、ライトブルーインクの明度Ｌ３が（式３）を満たす場合、記録媒体とライトブルーインクの明度差がライトブルーインクとマゼンタインクの明度差よりも大きい、すなわちライトブルーインクの明度は記録媒体表面の明度よりもマゼンタインクの明度に近いことを意味している。
【０１２１】
また、以上に説明した各実施形態では、ライトブルーインクとブラックインクの両方を使用して再現する色がほとんどなく、ライトブルーインクとシアンインクの両方を使用して再現する色やライトブルーインクとマゼンタインクの両方を使用して再現する色は数多く存在する形態について記載したが、他の形態による実施も可能である。ライトブルーインクとブラックインクの両方を使用して再現する色の数が、ライトブルーインクとシアンインクの両方を使用して再現する色の数よりも少なく、且つ、ライトブルーインクとマゼンタインクの両方を使用して再現する色の数よりも少ないという条件を満たしていれば、本実施形態と同様の構成をとることにより効果を得ることが可能である。上記の条件を満たしていれば、ライトブルーインクとブラックインクの間では、ライトブルーインクとシアンインクの間やライトブルーインクとマゼンタインクの間よりも往復走査間での色差が生じにくくなるためである。
【０１２２】
また、以上に説明した各実施形態では、各吐出口列群が複数の吐出口列から構成される形態について記載したが、吐出口列群が１つの吐出口列のみによって構成されていても良い。例えばすべての吐出口列群が５ｐｌのインク滴を吐出する吐出口からなる１つの吐出口列のみによって構成されていても良い。
【０１２３】
但し、吐出口径が大きい吐出口列を２つ以上有する吐出口列群、例えば図６に示すイエローインクの吐出口列群ＬＧ１（Ｙ）においては、５ｐｌと大きいサイズのインク滴を多量に吐出することになるため、吐出口列群の近傍に強い気流が発生する虞がある。そして、その吐出口列群と隣接する位置に吐出口径が小さい吐出口列を有する吐出口列群、例えば図６に示すライトブルーインクの吐出口列群ＬＧ１（ＬＢ）が設けられていると、１ｐｌと小さいサイズのインク滴は気流の影響を強く受けてしまうため、吐出口径が小さい吐出口列においてインクの着弾位置ずれが生じ、画質が低下する虞がある。
【０１２４】
しかしながら、第１、第２の実施形態における各吐出口列群の配置によれば、図６に示すように吐出口列群ＬＧ１（Ｙ）を吐出口列群ＬＧ１（ＬＢ）と隣接させず、それらの間に吐出口列群ＬＧ１（Ｋ１）を設けるため、上述の気流による画質低下を抑制できる。これは、吐出口列群ＬＧ１（Ｋ１）は吐出口径が大きい吐出口列を１つしか有していないため近傍に強い気流は発生しにくく、且つ、吐出口径が小さい吐出口列を有していないため吐出口列群ＬＧ１（Ｙ）からの吐出によって強い気流が発生したとしても吐出口列群ＬＧ１（Ｋ１）から吐出されるインク滴は気流の影響を受けにくいからである。
【符号の説明】
【０１２５】
ＬＧ１（Ｃ１）、ＬＧ１（Ｃ２）  シアンインクの吐出口列群
ＬＧ１（Ｍ１）、ＬＧ１（Ｍ２）  マゼンタインクの吐出口列群
ＬＧ１（Ｋ１）、ＬＧ１（Ｋ２）  ブラックインクの吐出口列群
ＬＧ１（ＬＢ）  ライトブルーインクの吐出口列群
【図１】
2020073314.tif 000004
【図２】
2020073314.tif 000005
【図３】
2020073314.tif 000006
【図４】
2020073314.tif 000007
【図５】
2020073314.tif 000008
【図６】
2020073314.tif 000009
【図７】
2020073314.tif 000010
【図８】
2020073314.tif 000011
【図９】
2020073314.tif 000012
【図１０】
2020073314.tif 000013
【図１１】
2020073314.tif 000014
【手続補正書】
【提出日】令和2年3月23日(2020.3.23)
【手続補正１】
【補正対象書類名】特許請求の範囲
【補正対象項目名】全文
【補正方法】変更
【補正の内容】
【特許請求の範囲】
【請求項１】
複数の吐出口が第１の方向に沿って配列された吐出口列を含む記録ユニットが、前記第１の方向と交差する第２の方向に沿って複数設けられ、記録媒体に対して前記第２の方向に移動することにより画像を記録する記録ヘッドであって、
色相角がｈ１であり、明度がＬ１である第１の色のインクを吐出する第１の記録ユニット及び第２の記録ユニットと、
色相角がｈ１より大きいｈ２であり、明度がＬ２である第２の色のインクを吐出する第３の記録ユニット及び第４の記録ユニットと、
色相角がｈ１より大きく且つｈ２より小さいｈ３であり、明度がＬ１及びＬ２のいずれよりも大きいＬ３である第３の色のインクを吐出する第５の記録ユニットと、
明度がＬ１及びＬ２のいずれよりも小さいＬ４である第４の色のインクを吐出する第６の記録ユニット及び第７の記録ユニットと、
を有し、
前記第２の方向において、前記第５の記録ユニット、前記第６の記録ユニット、前記第７の記録ユニットはこの順序に、前記第１の記録ユニットと前記第２の記録ユニットの間に設けられ、
且つ、前記第５の記録ユニット、前記第６の記録ユニット、前記第７の記録ユニットは、前記第３の記録ユニットと前記第４の記録ユニットの間に設けられ、
さらに、前記第７の記録ユニットを挟んで前記第６の記録ユニットの反対側に、前記第３の色のインクを吐出する記録ユニットが設けられていないことを特徴とする記録ヘッド。
【請求項２】
前記第１の色のインクと前記第２の色のインクを互いに同じ量だけ混合することにより再現される色の色相角をｈ´としたとき、
ｈ１＋（ｈ´−ｈ１）／２＜ｈ３＜ｈ２−（ｈ２−ｈ´）／２
を満たすことを特徴とする請求項１に記載の記録ヘッド。
【請求項３】
記録媒体の表面の色の明度Ｌ´について、
Ｌ´−Ｌ３＞Ｌ３−Ｌ１、及び
Ｌ´−Ｌ１＞Ｌ２−Ｌ１
を満たすことを特徴とする請求項１または２に記載の記録ヘッド。
【請求項４】
前記第１の色はシアンであり、前記第２の色はマゼンタであることを特徴とする請求項１から３のいずれか１項に記載の記録ヘッド。
【請求項５】
前記第３の色はライトブルーであることを特徴とする請求項１から４のいずれか１項に記載の記録ヘッド。
【請求項６】
前記第４の色はブラックであることを特徴とする請求項１から５のいずれか１項に記載の記録ヘッド。
【請求項７】
前記第２の方向において、前記第３の記録ユニットと前記第４の記録ユニットは、前記第１の記録ユニット及び前記第２の記録ユニットの間に設けられていることを特徴とする請求項１から６のいずれか１項に記載の記録ヘッド。
【請求項８】
前記第２の方向において、前記第１の記録ユニットと前記第２の記録ユニットは、前記第３の記録ユニット及び前記第４の記録ユニットの間に設けられていることを特徴とする請求項１から６のいずれか１項に記載の記録ヘッド。
【請求項９】
色相角がｈ１よりも小さいｈ５であり、明度がＬ４よりも大きいＬ５である第５の色のインクを吐出する吐出口列を含む第８の記録ユニットを更に有し、
前記第２の方向において、前記第８の記録ユニットは、前記第６の記録ユニットと前記第７の記録ユニットの間に設けられていることを特徴とする請求項１から８のいずれか１項に記載の記録ヘッド。
【請求項１０】
前記第５の色はイエローであることを特徴とする請求項９に記載の記録ヘッド。
【請求項１１】
前記第１の記録ユニット、前記第２の記録ユニット、前記第３の記録ユニット、前記第４の記録ユニット、前記第５の記録ユニット、前記第６の記録ユニット、前記第７の記録ユニット及び前記第８の記録ユニットの他に、前記第１の色、前記第２の色、前記第３の色、前記第４の色及び前記第５の色のうちのいずれかの色のインクを吐出する記録ユニットが備えられていないことを特徴とする請求項９または１０に記載の記録ヘッド。
【請求項１２】
前記第８の記録ユニットは、吐出口径が第１の径の吐出口列が２列設けられ、且つ、吐出口径が前記第１の径よりも小さい径の吐出口列が設けられておらず、
前記第６の記録ユニット及び前記第７の記録ユニットのそれぞれは、吐出口径が前記第１の径よりも小さい第２の径の吐出口列が設けられ、且つ、吐出口径が前記第２の径よりも小さい径の吐出口列が設けられておらず、
前記第５の記録ユニットは、吐出口径が前記第２の径よりも小さい第３の径の吐出口列が設けられ、
前記第１の記録ユニット、前記第２の記録ユニット、前記第３の記録ユニット及び前記第４の記録ユニットのそれぞれは、吐出口径が前記第３の径の吐出口列が設けられていることを特徴とする請求項９から１１のいずれか１項に記載の記録ヘッド。
【請求項１３】
前記第１の記録ユニット、前記第２の記録ユニット、前記第３の記録ユニット及び前記第４の記録ユニットのそれぞれは、吐出口径が前記第３の径の１列の吐出口列と、吐出口径が前記第２の径の１列の吐出口列と、吐出口径が前記第１の径の１列の吐出口列と、の３列の吐出口列のみが設けられており、
前記第５の記録ユニットは、吐出口径が前記第３の径の２列の吐出口列と、吐出口径が前記第２の径の２列の吐出口列と、の４列の吐出口列のみが設けられており、
前記第６の記録ユニット及び前記第７の記録ユニットのそれぞれは、吐出口径が前記第２の径の１列の吐出口列と、吐出口径が前記第１の径の１列の吐出口列と、の２列の吐出口列のみが設けられており、
前記第８の記録ユニットは、吐出口径が前記第１の径の２列の吐出口列のみが設けられていることを特徴とする請求項１２に記載の記録ヘッド。
【請求項１４】
前記第１の記録ユニット、前記第２の記録ユニット、前記第３の記録ユニット、前記第４の記録ユニット、前記第５の記録ユニット、前記第６の記録ユニット及び前記第７の記録ユニットが、１つのチップに設けられていることを特徴とする請求項１から１３のいずれか１項に記載の記録ヘッド。
【請求項１５】
前記第３の色のインクと前記第４の色のインクの両方を使用して再現される色の数は、前記第１の色のインクと前記第３の色のインクの両方を使用して再現される色の数よりも少なく、且つ、前記第２の色のインクと前記第３の色のインクの両方を使用して再現される色の数よりも少ないことを特徴とする請求項１から１４のいずれか１項に記載の記録ヘッド。
【請求項１６】
シアンインクを吐出する第１の記録ユニット及び第２の記録ユニットと、マゼンタインクを吐出する第３の記録ユニット及び第４の記録ユニットと、ライトブルーインクを吐出する第５の記録ユニットと、ブラックインクを吐出する第６の記録ユニット及び第７の記録ユニットと、が所定方向に配され、記録媒体に対して前記所定方向と交差する方向に移動することにより画像を記録する記録ヘッドであって、
前記所定方向において、前記第５の記録ユニット、前記第６の記録ユニット、前記第７の記録ユニットはこの順序に、前記第１の記録ユニットと前記第２の記録ユニットの間に設けられ、
且つ、前記第５の記録ユニット、前記第６の記録ユニット及び前記第７の記録ユニットは、前記第３の記録ユニットと前記第４の記録ユニットの間に設けられ、
さらに、前記第７の記録ユニットを挟んで前記第６の記録ユニットの反対側に、ライトブルーインクを吐出する記録ユニットが設けられていないことを特徴とする記録ヘッド。 
【請求項１７】
請求項１から１６のいずれか１項に記載の記録ヘッドと、
前記記録ヘッドを搭載した移動手段による往復移動の間に前記記録ヘッドからインクを吐出させる記録動作を制御する制御手段と、
を有することを特徴とするインクジェット記録装置。